(57)【特許請求の範囲】
【請求項１】
原稿を照射するための光を発する複数の発光素子と、
前記複数の発光素子が長手方向に延びるように実装された基板と、
前記複数の発光素子の光を入射して前記原稿の方向へ導く前記長手方向に延びた形状の導光体と、
前記基板の前記複数の発光素子が実装された面の前記複数の発光素子が実装されていない部分に接触することにより前記基板を固定する第１の面、及び前記実装された面側であって前記第１の面と異なる方向から前記導光体の両端部がアームによって弾性的に押し付けられることにより前記導光体を支持する第２の面を有する支持部材と、
前記基板の前記複数の発光素子が実装された面とは反対側の面の前記複数の発光素子に対向する部分に接触する熱伝達部材と、
前記導光体から出射された光が前記原稿で反射した反射光により前記原稿の画像を読み取る読取部と、を有する画像読取装置。
【請求項２】
前記支持部材の前記第１の面は、前記第２の面に対して屈曲され、前記第１の面と前記第２の面は、互いに垂直に形成されている請求項１に記載の画像読取装置。
【請求項３】
請求項１又は２に記載の画像読取装置と、
前記画像読取装置の前記読取部により読み取られた画像の情報に基づいて、記録媒体に画像を形成する画像形成部と、
を備えた画像形成装置。
【発明の詳細な説明】
【技術分野】
【０００１】
本発明は、画像読取装置及び画像形成装置に関する。
【背景技術】
【０００２】
複数のＬＥＤ素子からなる光源によって原稿を照射し、原稿で反射した光によって原稿の画像を読み取る画像読取装置が知られている。ＬＥＤ素子は、一般に温度によって光量や色調が変化することが知られているので、このような画像読取装置に用いられるＬＥＤ素子の熱を放熱するための提案がなされている（例えば、特許文献１参照）。
【０００３】
特許文献１に記載の画像読取装置では、原稿を照射するための光を発するＬＥＤ素子と、ＬＥＤ素子の光が原稿で反射した反射光により原稿の画像を読み取る画像読取部とを備え、基板の表面及び裏面に実装された複数のＬＥＤ素子により発生する熱を、ＬＥＤ素子の光束を集光する機能を有する熱伝導性の反射ミラーによって放熱するように構成されている。
【先行技術文献】
【特許文献】
【０００４】
【特許文献１】特開２００８−１７７９１８号公報
【発明の概要】
【発明が解決しようとする課題】
【０００５】
本発明の目的は、発光素子の熱を放熱すると共に、発光素子が実装された基板の変形を抑制することが可能な画像読取装置、及び画像形成装置を提供することにある。
【課題を解決するための手段】
【０００６】
［１］原稿を照射するための光を発する複数の発光素子と、前記複数の発光素子が長手方向に延びるように実装された基板と、前記複数の発光素子の光を入射して前記原稿の方向へ導く前記長手方向に延びた形状の導光体と、前記基板の前記複数の発光素子が実装された面の前記複数の発光素子が実装されていない部分に接触することにより前記基板を固定する第１の面、及び前記実装された面側であって前記第１の面と異なる方向から前記導光体の両端部がアームによって弾性的に押し付けられることにより前記導光体を支持する第２の面を有する支持部材と、前記基板の前記複数の発光素子が実装された面とは反対側の面の前記複数の発光素子に対向する部分に接触する熱伝達部材と、前記導光体から出射された光が前記原稿で反射した反射光により前記原稿の画像を読み取る読取部と、を有する画像読取装置。
【０００８】
［２］前記支持部材の前記第１の面は、前記第２の面に対して屈曲され、前記第１の面と前記第２の面は、互いに垂直に形成されている前記［１］に記載の画像読取装置。
【０００９】
［３］前記［１］又は［２］に記載の画像読取装置と前記画像読取装置の前記読取部により読み取られた画像の情報に基づいて、記録媒体に画像を形成する画像形成部と、を備えた画像形成装置。
【発明の効果】
【００１０】
請求項１乃至３に記載された発明によれば、発光素子の熱を放熱すると共に、発光素子が実装された基板の変形を抑制することができる。
【図面の簡単な説明】
【００１３】
【図１】図１は、本発明の実施の形態に係る画像形成装置を示す図である。
【図２】図２は、本発明の実施の形態に係る画像読取装置の内部構造を示す概略図である。
【図３Ａ】図３Ａは、本発明の実施の形態に係る導光体の形状を示す図である。
【図３Ｂ】図３Ｂは、本発明の実施の形態に係る導光体の形状を示す図である。
【図３Ｃ】図３Ｃは、本発明の実施の形態に係る導光体の形状を示す図３ＢのＣ−Ｃ断面図である。
【図４Ａ】図４Ａは、本発明の実施の形態に係る第１のキャリッジ及びその周辺部の構成を示す斜視図である。
【図４Ｂ】図４Ｂは、本発明の実施の形態に係る第１のキャリッジ及びその周辺部の構成を示す図４Ａの分解斜視図である。
【図４Ｃ】図４Ｃは、本発明の実施の形態に係る第１のキャリッジ及びその周辺部の構成を示す図４ＡのＤ−Ｄ矢視端面図である。
【図５】図５は、本発明の実施の形態に係る導光体の取り付け状態を示す図である。
【図６】図６は、本発明の実施の形態に係る導光体の取り付け状態を示す図である。
【図７】図７は、本発明の実施の形態の作用を説明するための説明図である。
【発明を実施するための形態】
【００１４】
（画像形成装置全体の構成）
図１は、本発明の実施の形態に係る画像形成装置を示す。この図では、画像読取装置１の外観、及び画像読取装置１の下側に配置された本体部１００Ａの内部構造を示している。
【００１５】
この画像形成装置１００は、原稿９から画像を読み取る画像読取装置１と、画像を記録媒体としての用紙３０に印刷する画像形成部２と、画像形成部２に用紙を供給するトレイ部３とを備えて構成されている。画像読取装置１は、画像形成部２及びトレイ部３を収容する本体部１００Ａとの間に印刷された用紙が排出される空間を形成するように、支持部４によって本体部１００Ａの上側に支持されている。
【００１６】
画像読取装置１の筐体１２の前面にあたる前壁１２１の上部には、ユーザーに操作メニューを提示して各種設定等を受け付けるタッチパネル１１１、及び複数の操作ボタン１１２を有するコントロールパネル１１０が設けられている。また、コントロールパネル１１０の上側には、筐体１２に対して開閉可能な原稿カバー１０が配置されている。原稿カバー１０には、給紙トレイ１０１ａに置かれた原稿９を読み取り位置に搬送し、読み取り後の原稿９を排紙台１０１ｂに排出する自動給紙部１０１が設けられている。
【００１７】
画像形成部２は、中間転写ベルト２０と、中間転写ベルト２０にイエロー（Ｙ），マゼンダ（Ｍ），シアン（Ｃ），ブラック（Ｋ）の各色のトナー画像を転写する第１乃至第４の画像形成ユニット２５Ｙ，２５Ｍ，２５Ｃ，２５Ｋと、画像情報に基づいて変調されたレーザー光を第１乃至第４の画像形成ユニット２５Ｙ，２５Ｍ，２５Ｃ，２５Ｋに照射する光学走査装置２５０とを備えている。
【００１８】
第１の画像形成ユニット２５Ｙは、感光ドラム２５１と、感光ドラム２５１の表面を一様に帯電する帯電器２５２と、感光ドラム２５１の表面に光学走査装置２５０によって形成された静電潜像をトナーで現像してトナー画像を形成する現像器２５３と、中間転写ベルト２０を感光ドラム２５１に押し付ける一次転写ローラ２５４とを有している。第２乃至第４の画像形成ユニット２５Ｍ，２５Ｃ，２５Ｋも第１の画像形成ユニット２５Ｙと同様に構成されている。
【００１９】
中間転写ベルト２０は、図略のモータに連結された駆動ローラ２１によって駆動され、第１の従動ローラ２２、第２の従動ローラ２３、及び中間転写ベルト２０に張力を付与するテンションローラ２４によって形成される循環経路に沿って回転する。
【００２０】
また、画像形成部２は、中間転写ベルト２０を挟んで第２の従動ローラ２３と対向する位置に配置された二次転写ローラ２６と、ヒーターを内蔵した定着ローラ２７１及び定着ローラ２７１に向かって加圧された加圧ローラ２７２を有する定着ユニット２７と、定着ユニット２７を通過した用紙を排出台２９に排出する排出ローラ２８とを備えている。
【００２１】
トレイ部３は、向きや大きさ、あるいは紙質等の異なる用紙３０をそれぞれ格納し、上下方向に並んで配置された第１乃至第３のトレイ３１〜３３を有している。
【００２２】
また、トレイ部３は、第１乃至第３のトレイ３１〜３３のそれぞれに対応して、格納された用紙３０を取り出すためのピックアップローラ３４Ａ，３４Ｂ，３４Ｃと、複数の用紙３０が取り出された場合にそれらを分離する分離ローラ３５Ａ，３５Ｂ，３５Ｃと、用紙３０をさらに下流側へ搬送するレジローラ３６Ａ，３６Ｂ，３６Ｃとを備えている。レジローラ３６Ａ，３６Ｂ，３６Ｃは、画像形成部２による画像形成のタイミングに同期して動作し、第１乃至第３のトレイ３１〜３３から取り出した用紙３０を搬送路３７に沿って二次転写ローラ２６と中間転写ベルト２０との間に導くように構成されている。
【００２３】
この画像形成装置１００は、各トレイ３１〜３３にサイズや向きが異なる用紙３０が格納されている場合に、各トレイ３１〜３３から供給された用紙３０は、その用紙３０の中心が搬送路３７の中心とほぼ一致するように搬送され、排出ローラ２８から排出台２９上に排出されるように構成されている。
【００２４】
（画像読取装置の構成）
図２は、画像読取装置１の内部構造を示す概略図である。なお、この図では原稿カバー１０の図示を省略している。画像読取装置１は、筐体１２の内部に、主走査方向に沿って配置され、副走査方向に移動可能な第１のキャリッジ１４及び第２のキャリッジ１５と、レンズ１６０及びＣＣＤ（Charge Coupled Device）１６１等を有する画像読取部１６とを備えている。第１のキャリッジ１４は支持部材の一例である。
【００２５】
筐体１２は、原稿カバー１１に面する上壁１２２の一部が開口した箱状であり、上壁１２２に対向する底壁１２３、底壁１２３を挟んで副走査方向（図２の左右方向）に対向する側壁１２４及び側壁１２５、前述の前壁１２１（図１参照）、及び前壁１２１と主走査方向（図２の紙面に直交する方向）に対向する後壁１２６とを有している。上壁１２２には、原稿９の読み取り位置に対応する部位に開口部１２２ａが形成され、開口部１２２ａは原稿９を支持するプラテンガラス１２０で覆われている。
【００２６】
後壁１２６には、副走査方向に延びる第１のレール１３１が固定されている。また、底壁１２３には、副走査方向に延びる第２のレール１３２が固定されている。第１のレール１３１及び第２のレール１３２は、主走査方向に並ぶようにそれぞれ２つずつ配置されているが、図２ではそれらの一方のみを図示している。
【００２７】
第１のキャリッジ１４には、第１のキャリッジ１４に沿って主走査方向に延びる基板１４０と、基板１４０に実装され、原稿９を照射するための光を発する発光素子としてのＬＥＤ１４１と、基板１４０のＬＥＤ１４１が実装された面とは反対側の面を支持する放熱部材１４５と、第１のキャリッジ１４に沿って主走査方向に延び、基板１４０と互いに平行になるように配置された導光体５と、導光体５からの出射光の一部を原稿９の方向へ反射するリフレクタ１４３と、原稿９の反射光を受ける第１のミラー１４６とが固定されている。基板１４０にはＬＥＤ１４１が複数個実装され、これら複数のＬＥＤ１４１は全体として光源を構成する。
【００２８】
第１のキャリッジ１４は、第１のレール１３１に案内されて、導光体５等の各部材と共に副走査方向に移動しながら原稿９の画像読取部位を照射し、第１のミラー１４６によって、原稿９の反射光を後述する第２のキャリッジ１５の第２のミラー１５１に向けて反射する。
【００２９】
導光体５は、ポリメタクリル酸メチル樹脂等の光透過性を有する材料で形成された棒状の多面体であり、ＬＥＤ１４１の光が入射する入射面５０ａと、入射面５０ａから入射した光の一部を原稿９の方へ出射する第１の出射面５０ｂと、入射面５０ａから入射した光の他の一部をリフレクタ１４３の方向へ出射する第２の出射面５０ｃとを有している。
【００３０】
基板１４０は、エポキシ樹脂やガラス繊維等を主たる成分とし、その表面には、ＬＥＤ１４１に電流を供給するための配線パターンが形成されている。
【００３１】
第２のキャリッジ１５には、前述の第１のミラー１４６からの反射光を受ける第２のミラー１５１と、この第２のミラー１５１からの反射光を受ける第３のミラー１５２とが固定されている。
【００３２】
第２のキャリッジ１５は、第２のレール１３２に案内されて副走査方向に移動しながら、原稿９の反射光を画像読取部１６のレンズ１６０に向けて反射する。
【００３３】
第１のキャリッジ１４及び第２のキャリッジ１５は、図略の駆動機構によって駆動され、第１のキャリッジ１４の副走査方向への移動中、原稿９の画像読取部位から後述するＣＣＤ１６１までの光路長が変動しないように、第２のキャリッジ１５の移動量が第１のキャリッジ１４の移動量の半分になるように構成されている。第１のキャリッジ１４が原稿９の副走査方向の端部付近に移動したときの第１のキャリッジ１４及び第２のキャリッジ１５を図２に二点鎖線で示す。
【００３４】
画像読取部１６は、第２のレール１３２に支持されたベース板１３３に固定された、レンズ１６０、及びＣＣＤ（Charge Coupled Device）１６１を実装した基板１６２を有している。
【００３５】
画像読取部１６は、第３のミラー１５２からの反射光がレンズ１６０を透過してＣＣＤ１６１に結像し、ＣＣＤ１６１によって原稿９の画像を読み取って画像データを出力するように構成されている。
【００３６】
（導光体の形状）
図３は、導光体５の単体での形状を示す図であり、図３Ａは基板１４０に平行な図２の矢印Ａの方向から見た形状を、図３Ｂは基板１４０に直交する図２の矢印Ｂの方向から見た形状を、図３Ｃは図３ＢのＣ−Ｃ断面形状を示す。なお、これらの各図面では、説明のために導光体５の湾曲を誇張して表している。
【００３７】
図３Ａに示すように、導光体５は、本体部５０と、本体部５０の長手方向の両端部に形成された一対の第１の突起部５１と、本体部５０の長手方向の中央部に形成された第２の突起部５２とを一体に備えている。
【００３８】
本体部５０は、入射面５０ａと第１及び第２の出射面５０ｂ，５０ｃとを有し、長手方向（図３Ａの左右方向）に対して中央部が入射面５０ａの側に張り出す第１の方向に湾曲している。本体部５０の長手方向の長さをＤ１とし、本体部５０の長手方向の両端部を結ぶ直線に対する中央部の変位量をＤ２とすると、Ｄ１に対するＤ２の割合（湾曲率）は０．１〜０．５％であることが望ましく、０．２〜０．４％であることがより望ましい。本実施の形態では、この割合が０．３％に設定されている。
【００３９】
また、Ｄ２の寸法は０．３〜１．５ｍｍとすることが望ましく、０．６〜１．２ｍｍとすることがより望ましい。本実施の形態では、Ｄ２の寸法が１．０ｍｍに設定されている。
【００４０】
第１の突起部５１は、入射面５０ａよりも、入射面５０ａに垂直な方向に突出し、突出した部分の先端には先端面５１ａが形成されている。
【００４１】
第２の突起部５２は、入射面５０ａよりも入射面５０ａに垂直な方向に向かって第１の突起部５１の入射面５０ａからの突出距離と同じ距離だけ突出し、突出した部分の先端に先端面５２ａが形成されている。
【００４２】
図３Ｂに示すように、導光体５は、前述の第１の方向と直交するように交差する第２の方向にも、長手方向（図３Ｂの左右方向）に対して中央部が張り出すように湾曲している。
【００４３】
第１及び第２の突起部５１，５２は、導光体５の厚さ方向（図３Ｂの上下方向）に本体部５０よりも突出して形成され、第１の突起部５１の突出部の先端には先端面５１ｂが形成されている。先端面５１ｂには、先端面５１側の基端部が円柱状で先端部の径が徐々に細くなる形状のボス部５１ｃが形成されている。また、第２の突起部５２の突出部の先端には平坦な先端面５２ｂが形成されている。図３Ｂに示す方向から見たとき、本体部５０に対する第１の突起部５１の先端面５１ｂの突出量と、第２の突起部５２の先端面５２ｂの突出量は同じである。
【００４４】
図３Ｃに示すように、導光体５の本体部５０には、入射面５０ａから入射した光の一部を第１の出射面５０ｂに向かって反射する第１の反射面５０ｄと、第１の反射面５０ｄと第２の出射面５０ｃとの間に形成された第１の側面５０ｅと、第１の反射面５０ｄと入射面５０ａとの間に形成された第２の側面５０ｆと、入射面５０ａから入射した光の一部を第２の出射面５０ｃに向かって反射する第２の反射面５０ｇと、第２の反射面５０ｇと第１の出射面５０ｂとの間に形成された第３の側面５０ｈとが形成されている。
【００４５】
入射面５０ａと第２の突起部５２の先端面５２ａとは平行になるように形成され、第２の突起部５２の先端面５２ｂは先端面５２ａと直角になるように形成されている。
【００４６】
第１の突起部５１は、導光体５の中心軸に対して直交する断面で第２の突起部５２と同じ形状及び同じ寸法で形成されているが、図３Ｂでは導光体の湾曲によって第２の突起部５２からずれたように見える部分のみが図示されている。
【００４７】
導光体５は、外力が加わらない状態では本体部５０の各面５０ａ〜５０ｈが長手方向に対して湾曲しているが、外力によって少なくとも長手方向に対して平行になるまで撓むことができる可撓性を有しており、外力がなくなれば元の湾曲形状に戻る弾性を有している。
【００４８】
なお、このような導光体５の湾曲形状は、例えば、射出成型する際の金型の温度を部位によって変えることによって形成することができる。
【００４９】
（第１のキャリッジ、及び第１のキャリッジに固定された部材の構成）
図４は、第１のキャリッジ１４、及び第１のキャリッジ１４に固定された導光体５、基板１４０、リフレクタ１４３、第１のミラー１４６等を示す図であり、図４Ａはこれらの部材が第１のキャリッジ１４に固定された状態を示す斜視図、図４Ｂは分解斜視図、図４Ｃは図４ＡのＤ−Ｄ線の矢視端面図である。
【００５０】
第１のキャリッジ１４は、亜鉛メッキ鋼板等の金属板から成型され、主走査方向に延びるように形成されている。第１のキャリッジ１４の両端部は第１のレール１３１に摺動可能に支持される。
【００５１】
図４Ｂに示すように、第１のキャリッジ１４には、導光体５を支持するための支持面１４ａが長手方向に沿って形成されている。第１の支持面は、主走査方向及び主走査方向に直交する副走査方向に対して平行になるように形成された平坦な面である。
【００５２】
第１のキャリッジ１４には、支持面１４ａに平行してリフレクタ取付台１４２が設けられており、このリフレクタ取付台１４２にリフレクタ１４３が取り付けられている。また、リフレクタ取付台１４２の下側にはミラー取付板１４ｄが設けられ、ミラー取付板１４ｄに第１のミラー１４６が取り付けられている。
【００５３】
また、第１のキャリッジ１４には、支持面１４ａに連続して、支持面１４ａに対して副走査方向に直角に屈曲された基板取付面１４ｂが形成されている（図４Ｃ参照）。基板取付面１４ｂには、複数の箇所（本実施の形態では５箇所）に基板１４０をねじ止めするためのねじ孔１４ｃが設けられている。
【００５４】
図４Ｂに示すように、基板１４０の表面１４０ａには、主走査方向に沿って一列に、複数のＬＥＤ１４１（本実施の形態では４６個）が実装されている。基板１４０には第１のキャリッジ１４の５箇所のねじ孔１４ｃにそれぞれ対応して５つの貫通孔１４０ｄが形成されている。また、基板１４０には、第１のキャリッジ１４への組み付け時に基板１４０を仮留めするための長孔１４０ｅが形成されている。
【００５５】
図４Ｃに示すように、基板１４０のＬＥＤ１４１が固定された領域に対応する裏面１４０ｂには、絶縁性及び熱伝導性を有するシート状の熱伝達部材１４０ｃが貼り付けられている。基板１４０は、基板取付面１４ｂの５箇所のねじ孔１４ｃにボルト１７によってねじ留めされ、第１のキャリッジ１４に固定されている。熱伝達部材１４０ｃは、例えばシリコン等からなる。
【００５６】
図４Ｂ及び図４Ｃに示すように、基板１４０の裏面１４０ｂに対向して、放熱部材１４５が配置されている。放熱部材１４５は、基板１４０の裏面１４０ｂに接触する板状の熱伝達部１４５ａと、熱伝達部１４５ａに対して基板１４０の方に直角に屈曲して形成された放熱部１４５ｂとを有している。放熱部材１４５は、亜鉛メッキ鋼板等の金属板からなり、その厚みは例えば０．５ｍｍである。
【００５７】
放熱部材１４５の熱伝達部１４５ａは、基板１４０の裏面１４０ｂ及び熱伝達部材１４０ｃに接触して、基板取付面１４ｂの３箇所のねじ孔１４ｃに基板１４０と共にボルト１７によってねじ留めされ、第１のキャリッジ１４に固定される。
【００５８】
図４Ｃに示すように、基板１４０がねじ留めされる部分には熱伝達部材１４０ｃが貼り付けられていないので、基板１４０及び放熱部材１４５は熱伝達部材１４０ｃの厚みに対応して弾性変形し、熱伝達部材１４０ｃに面した放熱部材１４５の熱伝達部１４５ａが熱伝達部材１４０ｃに押し付けられている。
【００５９】
放熱部材１４５の放熱部１４５ｂは、導光体５よりも鉛直方向の上側に位置し、ＬＥＤ１４１から発せられる光がユーザーの目に直接入射しないように、ＬＥＤ１４１の発光面１４１ａの上部を覆っている。
【００６０】
（導光体の保持）
図４Ａ及び図４Ｂに示すように、導光体５は、第１の突起部５１が第１のキャリッジ１４に固定された保持部材１４４によって支持されると共に、第２の突起部５２が第１のキャリッジ１４の支持面１４ａ及び基板１４０の表面１４０ａによって支持される。
【００６１】
図５は、第１のキャリッジ１４に取り付けられた導光体５を支持面１４ａに垂直な方向の上側から見た図であり、（ａ）は導光体５及びその周辺部を示す図、（ｂ）及び（ｃ）は部分拡大図である。なお、図５（ａ）では放熱部材１４５の放熱部１４５ｂを取り除いた状態を示している。
【００６２】
図５（ａ）に示すように、基板１４０には４６個のＬＥＤ１４１が等間隔で実装されており、中心部に位置する２つのＬＥＤ１４１（基板１４０の一方の端部側から数えて２３番目と２４番目のＬＥＤ１４１）の間の位置で基板１４０の表面１４０ａに導光体５の第２の突起部５２の先端面５２ａが接触するように構成されている。
【００６３】
導光体５の第１の突起部５１は、その第１の接触面５１ａが基板１４０の表面１４０ａに向かって押し付けられるように保持部材１４４によって支持されている。
【００６４】
保持部材１４４は、第１のキャリッジ１４に接する平面部１４４ａと、導光体５の第１の突起部５１を第１のキャリッジ１４の支持面１４ａに押し付ける第１のアーム１４４ｂと、導光体５の第１の突起部５１を基板１４０の表面１４０ａに押し付ける第２のアーム１４４ｃとを一体に備えている。
【００６５】
第２のアーム１４４ｃは、その先端部が第１の突起部５１の先端面５１ａの反対側にあたる背面５１ｄに接触している。第１及び第２のアーム１４４ｂ，１４４ｃは弾性を有し、弾性変形した状態で第１の突起部５１を押し付けている。
【００６６】
また、保持部材１４４の平面部１４４ａには、第１のキャリッジ１４に形成された２つの突起部１４ｅに嵌め合わされて保持部材１４４の位置決めをするための２つの位置決め孔１４４ｄと、第１のキャリッジ１４に形成されたねじ孔１４ｆに対応する位置に設けられ、保持部材１４４を第１のキャリッジ１４に固定するためのボルト１７を貫通させる貫通孔１４４ｅと、第１のキャリッジ１４の開口部１４ｇに対応して設けられた長孔１４４とが形成されている。
【００６７】
導光体５は、第２の突起部５２が基板１４０の表面１４０ａに接触し、かつ長手方向の両端部の第１の突起部５１が保持部材１４４によって基板１４０の表面１４０ａに向かって押し付けられているため、入射面５０ａが基板１４０の表面１４０ａに平行になるように、湾曲した形状から直線的な形状に弾性変形した状態で支持される。第２の突起部５２の先端面５２ａは、導光体５自体の弾性によって基板１４０の表面１４０ａに押し付けられている。
【００６８】
第１及び第２の突起部５１，５２の本体部５０からの突出量は、ＬＥＤ１４１の発光面１４１ａの基板１４０からの距離よりも大きく、導光体５の本体部５０は、入射面５０ａとＬＥＤ１４１の発光面１４１ａとの間に隙間が形成される位置に位置決めされる。
【００６９】
図５（ｂ）は、図５（ａ）における左側の第１の突起部５１の周辺部を拡大して示す。この第１の突起部５１に形成されたボス部５１ｃは、第１のキャリッジ１４に形成された貫通孔１４ｈに嵌め合わされている。貫通孔１４ｈの直径は、導光体５の温度変化による長手方向の膨張及び収縮を吸収するように、ボス部５１ｃの円柱状の部分の直径よりも大きく形成されている。
【００７０】
図５（ｃ）は、図５（ａ）における右側の第１の突起部５１の周辺部を拡大して示す。この第１の突起部５１に形成されたボス部５１ｃは、第１のキャリッジ１４に形成された長孔１４ｉに嵌め合わされている。長孔１４ｉは、導光体５の長手方向に直交する方向に延びるように形成され、導光体５の長手方向に沿った長孔１４ｉの幅方向の長さは、前述の貫通孔１４ｈの直径よりも小さく、ボス部５１ｃの円柱状の部分の直径よりも僅かに長い寸法である。また、長孔１４ｉの長さ方向の長さは、湾曲形状から直線的な形状への導光体５の変形を許容する寸法に設定されている。
【００７１】
図６は、第１のキャリッジ１４に取り付けられた導光体５及びその周辺部を基板取付面１４ｂに垂直な方向から見た図である。
【００７２】
保持部材１４４の第１のアーム１４４ｂによって導光体５の第１の突起部５１の先端面５１ｂの反対側にあたる背面５１ｅに接触し、第１の突起部５１が第１のキャリッジ１４の支持面１４ａに向かって押し付けられている。また、第２の突起部５２の先端面５２ｂは、導光体５自体の弾性によって支持面１４ａに押し付けられている。
【００７３】
このように、導光体５は、組み付け前の湾曲形状から直線的な形状に弾性変形した状態で、本体部５０と第１のキャリッジ１４の支持面１４ａとの間に隙間が形成されるように、保持部材１４４及び支持面１４ａによって支持される。
【００７４】
（組立て手順）
次に、第１のキャリッジ１４、導光体５、基板１４０、及び放熱部材１４５を組立てる手順を説明する。
【００７５】
組立て作業を行う作業者は、第１のキャリッジ１４の長孔１４ｉに導光体５の一方の第１の突起部５１に形成されたボス部５１ｃが、第１のキャリッジ１４の貫通孔１４ｈに導光体５の他方の第１の突起部５１に形成されたボス部５１ｃがそれぞれ嵌め合わされるように、支持面１４ａに導光体５を配置する。
【００７６】
次に作業者は、一対の第１の突起部５１を支持するように、２つの保持部材１４４を第１のキャリッジ１４に固定する。保持部材１４４が固定される過程で、図３Ｂに示す導光体５の湾曲形状が直線的な形状に変形する。また、この段階では、第１のキャリッジ１４の支持面１４ａから基板１４０が取り付けられる側に向かって、第１の突起部５１及び第２の突起部５２の一部がはみ出している。
【００７７】
次に作業者は、基板取付面１４ｂに形成された２箇所の突起１４ｊに基板１４０の長孔１４０ｅを嵌め合わせて基板１４０を支持した状態で基板取付面１４ｂに形成された５箇所のねじ孔のうちの２箇所で基板１４０をねじ留めし、基板１４０を固定する。基板１４０が固定される過程で導光体５が基板１４０によって押され、導光体５の湾曲率が小さくなり、直線的な形状に変形する。
【００７８】
次に作業者は、基板取付面１４ｂに形成された５箇所のねじ孔のうちの残りの３箇所で基板１４０と放熱部材１４５とをボルト１７によって共締めし、放熱部材１４５を第１のキャリッジ１４に固定する。以上のように、第１のキャリッジ１４、導光体５、基板１４０、及び放熱部材１４５が組立てられる。
【００７９】
（本実施の形態の作用）
次に、本実施の形態の作用を、（１）画像形成装置の動作と、（２）導光体の変形の抑制とに分けて説明する。
【００８０】
（１）画像形成装置１００の動作
ユーザーが給紙トレイ１０１ａの上、又はプラテンガラス１２０の上に原稿９を置き、コントロールパネル１１０のタッチパネル１１１及び操作ボタン１１２を操作して原稿の複写を指示すると、画像読取装置１は画像の読み取りを開始する。画像読取装置１の制御部（図示しない）は、給紙トレイ１０１ａの上に原稿９が置かれた場合には、自動給紙部１０１を制御して原稿９をプラテンガラス１２０の上の読み取り位置に搬送する。
【００８１】
画像読取装置１の制御部は、複数のＬＥＤ１４１に電流を供給して発光させると共に、駆動機構を制御して第１及び第２のキャリッジ１４，１５を副走査方向に駆動する。導光体５の入射面５０ａに入射した光は、導光体５の第１の出射面５０ｂから出射し、又は第２の出射面５０ｃから出射してリフレクタ１４３によって反射して、原稿９を照射する。原稿９の表面で反射した反射光は、第１のミラー１４６、第２のミラー１５１、及び第３のミラー１５２で反射され、画像読取部１６のレンズ１６０に入射する。
【００８２】
レンズ１６０を透過した光はＣＣＤ１６１に結像し、ＣＣＤ１６１によって原稿９の画像を読み取る。画像読取装置１の制御部は、画像の読み取り結果としての画像データを画像形成部２の光学走査装置２５０に送る。この後、制御部は、給紙トレイ１０１ａの上に置かれた原稿９を読み取った場合には、自動給紙部１０１を制御して原稿９を排出台１０１ｂに排出する。
【００８３】
光学走査装置２５０は、ＹＭＣＫ各色の画像データに基づいて変調された光ビームを帯電器２５２によって帯電された感光ドラム２５１に照射して、感光ドラム２５１の表面に静電潜像を形成する。この静電潜像は、現像器２５３によりトナーで現像されてトナー像が形成される。感光ドラム２５１上のトナー画像は、一次転写ローラ２５４によって中間転写ベルト２０に転写される。
【００８４】
一方、第１乃至第３のトレイ３１〜３３の何れか１つ、例えば第１のトレイ３１からは、ピックアップローラ３４Ａによって用紙３０が用紙搬送路３７に取り込まれ、分離ローラ３５Ａによって捌かれた後、レジローラ３６Ａによって二次転写ローラ２６と中間転写ベルト２０との間に搬送され、中間転写ベルト２０上のトナー像が用紙３０に転写される。
【００８５】
その後、用紙３０上のトナー像は、定着ユニット２７によって定着された後、排出ローラ２８によって排出台２９に排出される。
【００８６】
（２）導光体の変形の抑制
図７に示すように、画像形成装置１の使用時にＬＥＤ１４１から発せられる熱によって導光体５の入射面５０ａが加熱されると、加熱された部分が膨張し、導光体５の両端部が基板１４０の表面１４０ａから離れ、中央部が基板１４０の方へ張り出すように導光体５を反らせる力が発生する。しかし、基板１４０の裏面１４０ｂは放熱部材１４５によって支持されており、導光体５と共に基板１４０の変形することが抑えられる。
【００８７】
［他の実施の形態］
なお、本発明は、上記各実施の形態に限定されず、その要旨を変更しない範囲内で種々な変形が可能である。
【００８８】
導光体５の形状は、上記の実施の形態に示したものに限らず、例えば直方体状であってもよい。また、上記の実施の形態では、第２の突起部５２を導光体５の長手方向の中央部に１箇所設けたが、これに限らず、両端部に形成された第１の突起部５１の間に複数の第２の突起部５２を設けてもよい。また、導光体５の材質にも特に制限はない。
【００８９】
導光体５を保持部材１４４によって保持する箇所は、上記の実施の形態のように導光体５の長手方向の端面付近に限らず、第１のキャリッジ１４の支持面１４ａ又は基板１４０の表面１４０ａに接する中央部よりも長手方向の両端面に近い複数の箇所であればよい。
【００９０】
また、上記の実施の形態では、第２の突起部５２の第２の支持面５２ａが２つのＬＥＤ１４１の間の部位で基板１４０の表面１４０ａに接触するように構成したが、これに限らず、例えば、ＬＥＤ１４１の配列方向に対して基板１４０の幅方向にずれた位置で第２の突起部５２の第２の支持面５２ａが基板１４０の表面１４０ａに接触してもよい。
【００９１】
上記の実施の形態では、放熱部材１４５を板状の部材を屈曲することで熱伝達部１４５ａと放熱部１４５ｂとを形成したが、これに限らず、例えば放熱部１４５ｂは、熱伝達部１４５ａに連続する平面に放熱フィンを取り付けることで形成してもよい。また、放熱部１４５ｂは、ＬＥＤ１４１の発光面１４１ａの鉛直方向の上側を覆うものに限らない。
【符号の説明】
【００９２】
１…画像読取装置、２…画像形成部、３…トレイ部、４…支持部、５，５Ａ，５Ｂ，５Ｃ，７…導光体、５ａ…入射面、５ｂ，５ｄ…側面、５ｃ…出射面、５ｅ…第１の端面、５ｆ…第２の端面、７ａ…入射面、７ｂ…第１の反射面、７ｃ…出射面、７ｄ…第１の出射面、７ｅ…第２の出射面、７ｆ…第２の反射面、７ｇ…側面、９…原稿、１１…原稿カバー、１２…筐体、１４…第１のキャリッジ、１４ａ…第１の支持面、１４ｂ…基板取付面、１４ｃ…ねじ孔、１４ｄ…ミラー取付板、１４ｅ…突起部、１４ｆ…ねじ孔、４ｇ…開口部、１４ｈ…貫通孔、１４ｉ…長孔、１４ｊ…突出部、１５…第２のキャリッジ、１６…画像読取部、１７…ボルト、２０…中間転写ベルト、２１…駆動ローラ、２２，２３…従動ローラ、２４…テンションローラ、２５Ｙ…第１の画像形成ユニット、２５Ｍ…第２の画像形成ユニット、２５Ｃ…第３の画像形成ユニット、２５Ｋ…第４の画像形成ユニット、２６…二次転写ローラ、２７…定着ユニット、２８…排出ローラ、２９…排出台、３０…用紙、３１…第１のトレイ、３２…第２のトレイ、３３…第３のトレイ、３４Ａ，３４Ｂ，３４Ｃ…ピックアップローラ、３５Ａ，３５Ｂ，３５Ｃ…分離ローラ、３６Ａ，３６Ｂ，３６Ｃ…レジローラ、３７…搬送路、５０…本体部、５０ａ…入射面、５０ｂ…第１の出射面、５０ｃ…第２の出射面、５０ｄ…第１の反射面、５０ｅ…第１の側面、５０ｆ…第２の側面、５０ｇ…第２の反射面、５０ｈ…第３の側面、５１…第１の突起部、５１ａ…第１の先端面、５１ｂ…第３の先端面、５１ｃ…ボス部、５２…第２の突起部、５２ａ…第２の先端面、５２ｂ…第４の先端面、１００…画像形成装置、１００Ａ…本体部、１１０…コントロールパネル、１１１…タッチパネル、１１２…操作ボタン、１２０…プラテンガラス、１２１…前壁、１２２…上壁、１２２ａ…開口部、１２３…底壁、１２４…側壁、１２５…側壁、１２６…後壁、１３１…第１のレール、１３２…第２のレール、１３３…ベース板、１４０…基板、１４０ａ…表面、１４０ｂ…裏面、１４０ｃ…熱伝達部材、１４０ｄ…貫通孔、１４０ｅ…長孔、１４１…ＬＥＤ、１４１ａ…発光面、１４２…リフレクタ取付台、１４３…リフレクタ、１４４…保持部材、１４４ａ…平面部、１４４ｂ…第１のアーム、１４４ｃ…第２のアーム、１４４ｄ…位置決め孔、１４４ｅ…貫通孔、１４５…放熱部材、１４５ａ…熱伝達部、１４５ｂ…放熱部、１４６…第１のミラー、１５１…第２のミラー、１５２…第３のミラー、１６０…レンズ、１６２…基板、２５０…光学走査装置、２５１…感光ドラム、２５２…帯電器、２５３…現像器、２５４…一次転写ローラ、２７１…定着ローラ、２７２…加圧ローラ
【図１】
0005636664.tif 000002
【図２】
0005636664.tif 000003
【図３Ａ】
0005636664.tif 000004
【図３Ｂ】
0005636664.tif 000005
【図３Ｃ】
0005636664.tif 000006
【図４Ａ】
0005636664.tif 000007
【図４Ｂ】
0005636664.tif 000008
【図４Ｃ】
0005636664.tif 000009
【図５】
0005636664.tif 000010
【図６】
0005636664.tif 000011
【図７】
0005636664.tif 000012